(57)【要約】【課題】特定の周波数帯域に制限されることなく、画像信号からノイズ成分を除去すること。【解決手段】画像読取装置１０は、読取部１２とコンバータ５３とＡＳＩＣ４０とを備る。ＡＳＩＣ４０は、第１変換器４３と第２変換器４４とＣＰＵ４１とを有し、第１変換器４３は、読取部１２の受光部２２から出力されるアナログの画像信号をデジタルの画像信号に変換する。第２変換器４４は、デジタルの画像信号が変換されるタイミングと同じタイミングでコンバータ５３から出力される電力の電圧値をデジタルデータに変換する。ＣＰＵ４１は、デジタルの画像信号を、同じタイミングで変換されたデジタルデータから算出された変換比率を用いて補正することで、デジタルの画像信号から、コンバータ５３から出力される電力の電圧値の変動によるノイズ成分を除去することができる。【選択図】図２
2015109603.tif 000002
【特許請求の範囲】
【請求項１】
光を照射する光源と、前記光源から照射された光の反射光を受光する受光素子と、を有し、前記受光素子は、受光した反射光の光量に応じた電圧値であるアナログの画像信号を出力する、読取部と、
前記読取部に対してアナログの駆動電圧を供給する電圧供給部と、
制御部と、
を備え、
前記制御部は、
前記受光素子が出力する前記アナログの画像信号を所定の取り込みタイミングでデジタルの画像信号に変換する変換処理と、
前記取り込みタイミングと同じタイミングで前記電圧供給部が供給する前記アナログの駆動電圧と、前記電圧供給部が供給する前記アナログの駆動電圧の基準値と、の変動比率を求める比率取得処理と、
前記変換処理で変換された前記デジタルの画像信号を、前記比率取得処理で取得された前記変動比率によって補正する補正処理と、
を実行する画像読取装置。
【請求項２】
請求項１記載の画像読取装置であって、
前記制御部は、
前記受光素子が出力する前記アナログの画像信号を所定の取り込みタイミングでデジタルの画像信号に変換する第１変換部と、
前記取り込みタイミングと同じタイミングで前記電圧供給部が供給する前記アナログの駆動電圧を、デジタルデータに変換する第２変換部と、
を有し、
前記変換処理では、前記第１変換部を用いて、前記アナログの画像信号を前記デジタルの画像信号に変換し、
前記比率取得処理では、前記第２変換部が変換した前記デジタルデータを用いて、前記変動比率を求める、画像読取装置。
【請求項３】
請求項２記載の画像読取装置であって、
更に、
記憶部、
を備え、
前記電圧供給部は、少なくとも前記読取部と前記制御部と前記記憶部とに対して前記アナログの駆動電圧を供給し、
前記制御部は、
前記記憶部にアクセス可能に構成され、
前記比率取得処理では、前記記憶部にアクセスすることによって生じる前記駆動電圧の前記変動比率を求める、画像読取装置。
【請求項４】
請求項３記載の画像読取装置であって、
前記電圧供給部は、
入力された電圧を前記アナログの駆動電圧に変換するコンバータ、を有し、
前記電圧供給部は、前記コンバータによって変換された前記アナログの駆動電圧を、少なくとも前記読取部と前記制御部と前記記憶部とに対して供給する、画像読取装置。
【請求項５】
請求項３または４に記載の画像読取装置であって、
前記制御部は、
前記変換処理では、変換された前記デジタルの画像信号を前記記憶部に記憶させ、
前記補正処理では、前記記憶部に記憶された前記デジタルの画像信号を前記変動比率によって補正し、補正された前記デジタルの画像信号を前記記憶部に記憶させる、画像読取装置。
【請求項６】
請求項２から５のいずれか一項に記載の画像読取装置であって、
前記読取部は、
主走査方向に１ライン上に配列された複数の受光素子を有し、
前記複数の受光素子は、前記アナログの画像信号を、規定周期で各受光素子毎に順に出力し、
前記制御部は、
前記規定周期に１回切り替わる切り替わるタイミング信号を生成して前記第１変換部及び第２変換部に出力するタイミング生成部、
を更に有し、
前記変換処理では、前記タイミング信号の切り替わりタイミングを前記取り込みタイミングとして、各受光素子毎に順に前記アナログの画像信号を前記デジタルの画像信号に変換し、
前記比率取得処理では、前記タイミング信号の切り替わりタイミングを前記取り込みタイミングとして、前記変動比率を求め、
前記補正処理では、各受光素子毎の前記デジタルの画像信号を、該デジタルの画像信号に同期して取得された前記変動比率によって補正する、画像読取装置。
【発明の詳細な説明】
【技術分野】
【０００１】
原稿を読み取って取得した画像信号からノイズ成分を除去する技術に関する。
【背景技術】
【０００２】
画像読取装置では、読取部に印加される電源電圧に重畳するノイズ成分により、原稿を読み取って取得した画像信号にノイズ成分が重畳することがあり、当該ノイズ成分を除去する処理が実行される。従来から、バンドパスフィルタを用いて電源電圧に重畳するノイズ成分を抽出し、画像信号から該ノイズ成分を差し引くことで、画像信号からノイズ成分を除去する技術が開示されている（例えば、特許文献１）。
【先行技術文献】
【特許文献】
【０００３】
【特許文献１】特開２００５−３４８３４０号公報
【発明の概要】
【発明が解決しようとする課題】
【０００４】
しかし、従来技術のように、バンドパスフィルタを用いて電源電圧に重畳するノイズ成分を抽出する場合、バンドパスフィルタに対応する特定の周波数帯域ではノイズ成分を抽出することができるものの、その他の周波数領域ではノイズ成分を抽出することができない。そのため、電源電圧のノイズ成分が広帯域である場合には、画像信号からノイズ成分を除去することができない問題が生じていた。
【０００５】
本明細書では、特定の周波数帯域に制限されることなく、画像信号からノイズ成分を除去する技術を開示する。
【課題を解決するための手段】
【０００６】
本明細書によって開示される画像読取装置は、光を照射する光源と、前記光源から照射された光の反射光を受光する受光素子と、を有し、前記受光素子は、受光した反射光の光量に応じた電圧値であるアナログの画像信号を出力する、読取部と、前記読取部に対してアナログの駆動電圧を供給する電圧供給部と、制御部と、を備え、前記制御部は、前記受光素子が出力する前記アナログの画像信号を所定の取り込みタイミングでデジタルの画像信号に変換する変換処理と、前記取り込みタイミングと同じタイミングで前記電圧供給部が供給する前記アナログの駆動電圧と、前記電圧供給部が供給する前記アナログの駆動電圧の基準値と、の変動比率を求める比率取得処理と、前記変換処理で変換された前記デジタルの画像信号を、前記比率取得処理で取得された前記変動比率によって補正する補正処理と、を実行する。
【０００７】
この画像読取装置では、読取部が出力した画像信号に重畳したノイズ成分を除去する際に、デジタルの画像信号が変換生成されるタイミングにおけるアナログの駆動電圧と、アナログの駆動電圧の基準値との変動比率を用いて、画像信号を補正する。アナログの駆動電圧は、読取部の駆動電圧であることから、読取部が出力した画像信号に重畳したノイズ成分は、上記変動比率に応じて生じる。この画像読取装置によれば、画像信号に重畳したノイズ成分を、その原因となる変動比率により補正するので、特定の周波数帯域に制限されることなく、画像信号からノイズ成分を除去することができる。
【０００８】
また、上記の画像読取装置では、前記制御部は、前記受光素子が出力する前記アナログの画像信号を所定の取り込みタイミングでデジタルの画像信号に変換する第１変換部と、前記取り込みタイミングと同じタイミングで前記電圧供給部が供給する前記アナログの駆動電圧を、デジタルデータに変換する第２変換部と、を有し、前記変換処理では、前記第１変換部を用いて、前記アナログの画像信号を前記デジタルの画像信号に変換し、前記比率取得処理では、前記第２変換部が変換した前記デジタルデータを用いて、前記変動比率を求める構成としても良い。
【０００９】
この画像読取装置によれば、２つの変換部を用いることで、アナログの画像信号とアナログの駆動電圧とを同じタイミングで変換することができ、画像信号からノイズ成分を精度よく除去することができる。
【００１０】
また、上記の画像読取装置では、更に、記憶部、を備え、前記電圧供給部は、少なくとも前記読取部と前記制御部と前記記憶部とに対して前記アナログの駆動電圧を供給し、前記制御部は、前記記憶部にアクセス可能に構成され、前記比率取得処理では、前記記憶部にアクセスすることによって生じる前記駆動電圧の前記変動比率を求める構成としても良い。
【００１１】
電圧供給部が、読取部と制御部と記憶部とに共通してアナログの駆動電圧を供給する構成であると、１つの構成に供給する電力の増大により駆動電圧の変動が生じやすく、例えば、制御部が記憶部にアクセスすることで駆動電圧の変動が生じることがある。この画像読取装置によれば、制御部が記憶部にアクセスすることで駆動電圧の変動が生じ、これにより画像信号にノイズ成分が重畳した場合でも、画像信号と同時に取得された駆動電圧の変動比率を用いて画像信号を補正するので、画像信号からノイズ成分を除去することができる。
【００１２】
また、上記の画像読取装置では、前記電圧供給部は、入力された電圧を前記アナログの駆動電圧に変換するコンバータ、を有し、前記電圧供給部は、前記コンバータによって変換された前記アナログの駆動電圧を、少なくとも前記読取部と前記制御部と前記記憶部とに対して供給する構成としても良い。
【００１３】
コンバータによって変換されたアナログの駆動電圧が、読取部と制御部と記憶部とに共通して供給される構成であると、読取部や制御部や記憶部が必要とする電力容量が、コンバータが有する一定の変換容量に対して逼迫することで、駆動電圧の変動が生じやすい。この画像読取装置によれば、駆動電圧の変動が生じ、これにより画像信号にノイズ成分が重畳した場合でも、画像信号と同時に取得された駆動電圧の変動比率を用いて画像信号を補正するので、画像信号から除去することができる。
【００１４】
また、上記の画像読取装置では、前記制御部は、前記変換処理では、変換された前記デジタルの画像信号を前記記憶部に記憶させ、前記補正処理では、前記記憶部に記憶された前記デジタルの画像信号を前記変動比率によって補正し、補正された前記デジタルの画像信号を前記記憶部に記憶させる構成としても良い。
【００１５】
この画像読取装置では、制御部は、変動処理や補正処理において、記憶部にデジタルの画像信号を記憶させ、或は、記憶部に記憶されたデジタルの画像信号を読み出す際に、記憶部にアクセスする。この画像読取装置によれば、上記の処理に起因して駆動電圧が変動し、画像信号にノイズ成分が生じた場合でも、画像信号からノイズ成分を除去することができる。
【００１６】
また、上記の画像読取装置では、前記読取部は、主走査方向に１ライン上に配列された複数の受光素子を有し、前記複数の受光素子は、前記アナログの画像信号を、規定周期で各受光素子毎に順に出力し、前記制御部は、前記規定周期に１回切り替わる切り替わるタイミング信号を生成して前記第１変換部及び第２変換部に出力するタイミング生成部、を更に有し、前記変換処理では、前記タイミング信号の切り替わりタイミングを前記取り込みタイミングとして、各受光素子毎に順に前記アナログの画像信号を前記デジタルの画像信号に変換し、前記比率取得処理では、前記タイミング信号の切り替わりタイミングを前記取り込みタイミングとして、前記変動比率を求め、前記補正処理では、各受光素子毎の前記デジタルの画像信号を、該デジタルの画像信号に同期して取得された前記変動比率によって補正する構成としても良い。
【００１７】
この画像読取装置によれば、複数の受光素子を有する読取部を用いて、複数の画像信号を取得する場合に、各受光素子毎に、駆動電圧の変動比率を求めて各画像信号を補正するので、各画像信号からノイズ成分を精度よく除去することができる。
【発明の効果】
【００１８】
本明細書によれば、特定の周波数帯域に制限されることなく、画像信号からノイズ成分を除去することができる。
【図面の簡単な説明】
【００１９】
【図１】画像読取装置の概略的な斜視図
【図２】画像読取装置の電気的構成を概略的に示すブロック図
【図３Ａ】画像信号及びコンバータからの供給電力の電圧値のタイムチャート
【図３Ｂ】受光部の概略的な上面図
【図４】画像読取処理を示すフローチャート
【発明を実施するための形態】
【００２０】
＜実施形態１＞
実施形態１を、図１から図４を用いて説明する。
【００２１】
１．画像読取装置の機械的構成
図１に示すように、画像読取装置１０は、本体ユニット１０Ａの上方に原稿搬送ユニット１０Ｂが載置されて構成されている。本体ユニット１０Ａは、読取部１２、移動部２８を備える他、その上面に透明なガラス板からなるプラテンガラス１４Ａ、１４Ｂ等を備える。
【００２２】
読取部１２は、複数の受光素子３２が主走査方向Ｄ１に直線状に配列されている受光部２２（図３Ｂ参照）、発光ダイオード（以下、ＬＥＤ）などで構成される光源２６の他、光源２６から照射される光の反射光を受光部２２の各受光素子３２に結像させるロッドレンズアレイ２４等を含む。移動部２８は、図示されないモータによってベルト３４を搬送し、プラテンガラス１４Ａ、１４Ｂの下側を矢印３６で示す左右方向に読取部１２を移動させる。
【００２３】
また、本体ユニット１０Ａには、この他に、ＬＥＤや液晶ディスプレイからなり画像読取装置１０の状況を表示する表示部や、各種設定ボタンからなり、使用者からの各種指示を受け付ける操作部が設けられている。
【００２４】
原稿搬送ユニット１０Ｂは、本体ユニット１０Ａの上面全面を覆っており、本体ユニット１０Ａの上面を開閉可能に構成されている。原稿搬送ユニット１０Ｂは、給紙トレイ１６、排紙トレイ２０を備える他、給紙トレイ１６から排紙トレイ２０へと延びる搬送経路３０に沿ってシート原稿を自動で搬送する原稿自動送り機能（ＡＤＦ）を有する搬送部１８を備える。
【００２５】
画像読取装置１０は、搬送部１８によって搬送されるシート原稿を読取位置Ｙ１に配置された読取部１２を用いて読み取る、いわゆるＡＤＦ読取を実行する。読取部１２は、光源２６からプラテンガラス１４Ａ上を通過するシート原稿に光を照射し、シート原稿の下面で反射された反射光を受光し、シート原稿を読み取る。
【００２６】
また、画像読取装置１０は、移動部２８を用いて読取部１２を左右方向に移動させながら、プラテンガラス１４Ｂの上面に静止して載置されたシート原稿を読み取る、いわゆるＦＢ読取を実行する。読取部１２は、所定時間毎に光源２６からプラテンガラス１４Ｂ上のシート原稿に光を照射し、シート原稿の下面で反射された反射光を受光し、シート原稿を読み取る。
【００２７】
２．画像読取装置の電気的構成
図２に示すように、画像読取装置１０は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）４０と、ＲＡＭ５１と、ＲＯＭ５２とを備え、これらに読取部１２、ＤＣ／ＤＣコンバータ（以下、コンバータ）５３、低圧電源５５、光源ドライバ５６等が接続されている。ＡＳＩＣ４０とＲＯＭ５２とを含めたものが、制御部の一例であり、ＲＡＭ５１は記憶部の一例である。また、低圧電源５５とコンバータ５３とを含めたものが、電圧供給部の一例である。ＡＳＩＣ４０とＲＡＭ５１とＲＯＭ５２とコンバータ５３とが、同一の制御基板５４上に配置されている。
【００２８】
低圧電源５５は、外部商用電源であるＡＣ１００Ｖ電源からＡＣ１００Ｖで供給される電力をＤＣ６Ｖに変換し、コンバータ５３に供給する。コンバータ５３は、低圧電源５５からＤＣ６Ｖで供給される電力をＤＣ３．３Ｖに変換する。コンバータ５３は、変換されたＤＣ３．３Ｖの電力（Ｖｃｃ）を、ＡＳＩＣ４０、ＲＡＭ５１、ＲＯＭ５２、及び、読取部１２に供給する。ＤＣ３．３Ｖの電力は、アナログの駆動電圧の一例である。
【００２９】
尚、図３Ａに示すように、コンバータ５３が供給するＤＣ３．３Ｖの電力の電圧値は変動することがある。ＡＳＩＣ４０とＲＡＭ５１とＲＯＭ５２と読取部１２とは共通のコンバータ５３から電力が供給されている。故に、例えば、ＡＳＩＣ４０の処理によって、より多くの電力が消費されると、コンバータ５３が読取部１２に供給している電力が変動し、その電力の電圧値も変動することがある。例えば、ＡＳＩＣ４０内の後述するＣＰＵ４１がＲＡＭ５１にアクセスすることでＣＰＵ４１における電力消費が一時的に増大すると、コンバータ５３が読取部１２に供給している電力の電圧値が変動する。
【００３０】
ＡＳＩＣ４０は、ＣＰＵ４１を含む他、タイミング生成回路４２、第１Ａ／Ｄ変換器（以下、第１変換器）４３、第２Ａ／Ｄ変換器（以下、第２変換器）４４、第１ダイレクトメモリアクセス（以下、第１ＤＭＡ）４５、第２ダイレクトメモリアクセス（以下、第２ＤＭＡ）４６等の専用のハード回路を含む。ＲＯＭ５２には、画像読取装置１０の動作を制御するための各種のプログラムが記憶されており、ＣＰＵ４１は、ＲＯＭ５２から読み出したプログラムに従って各部の制御を行うとともに、必要に応じてハード回路を用いて後述する画像読取処理を実行する。
【００３１】
タイミング生成回路４２は、図３Ａに示すクロック信号（以下、ＣＬＫ信号）及びスタートパルス信号（以下、ＳＰ信号）を生成し、読取部１２に入力する。また、タイミング生成回路４２は、光源ドライバ５６に接続されている。光源ドライバ５６は、タイミング生成回路４２からの指示に基づいて点灯信号を生成し、読取部１２に入力する。これらの信号、および、コンバータ５３から供給される電力によって読取部１２が駆動する。
【００３２】
読取部１２は、光源ドライバ５６から点灯信号が入力されると、光源２６を一回発光する。受光部２２は、光源２６の１回の発光で、主走査方向Ｄ１に１ライン読み取る。１ラインの読み取りで、各受光素子３２はシート原稿等からの反射光を受光し、受光した反射光の光量に応じた電圧値のアナログの画像信号ＧＡ１を取得する。受光部２２は、図３Ａに示すように、タイミング生成回路４２から入力されるＳＰ信号をトリガーとして、１ライン分のアナログの画像信号ＧＡ１をＡＳＩＣ４０の第１変換器４３に出力する。受光部２２は、ＣＬＫ信号の立ち上がりから次のＣＬＫ信号の立ち上がりまでの期間で規定されるＣＬＫ周期で、図３Ｂに示す主走査方向Ｄ１の順に、各受光素子３２が取得したアナログの画像信号ＧＡ１を出力する。ＣＬＫ周期は、規定周期の一例である。
【００３３】
タイミング生成回路４２は、また、図３Ａに示すサンプルホールド信号（以下、ＳＨ信号）を生成し、第１変換器４３及び第２変換器４４に入力する。ＳＨ信号は、ＣＬＫ周期と同一の周期を有し、ＣＬＫ信号の立ち上がりタイミングと異なるタイミングで瞬間的に立ち上がる。第１変換器４３の入力端子４３Ａには、受光部２２が出力するアナログの画像信号ＧＡ１が入力されており、第１変換器４３は、ＳＨ信号の立ち上がりタイミングで、アナログの画像信号ＧＡ１をデジタルの画像信号ＧＤ１に変換し、変換したデジタルの画像信号ＧＤ１を第１ＤＭＡ４５を介してＲＡＭ５１に記憶する。これにより、受光部２２から連続して出力される各受光素子３２のアナログの画像信号ＧＡ１のそれぞれが、デジタルの画像信号ＧＤ１に変換されてＲＡＭ５１に記憶される。ＳＨ信号は、タイミング信号の一例であり、ＳＨ信号の立ち上がりは、タイミング信号の切り替わりの一例である。
【００３４】
また、第２変換器４４の入力端子４４Ａには、コンバータ５３が供給する電力が入力されており、第２変換器４４は、ＳＨ信号の立ち上がりタイミングで、コンバータ５３から供給される電力の電圧値をデジタルデータＧＤ２に変換し、変換したデジタルデータＧＤ２を第２ＤＭＡ４６を介してＲＡＭ５１に記憶する。これにより、ＲＡＭ５１には、各デジタルの画像信号ＧＤ１が変換生成されるタイミングと同じタイミングでコンバータ５３から供給される電力の電圧値のデジタルデータＧＤ２が記憶される。
【００３５】
尚、図３Ａでは、シート原稿のうち、文字や色彩が付されていない白紙部分、つまり、主走査方向Ｄ１で反射率が一定の部分を読み取った場合のデジタルの画像信号ＧＤ１を示す。そのため、各受光素子３２のデジタルの画像信号ＧＤ１の値は、通常、すべて等しくなり、例えば、すべてが１．１Ｖとなる。しかし、上述したように、コンバータ５３が読取部１２に供給している電力の電圧値は変動することがあり、図３Ａに示すように、コンバータ５３から供給される電力の電圧値の変動すると、それに伴って各受光素子３２のデジタルの画像信号ＧＤ１の値が変動する。
【００３６】
つまり、第１変換器４３で変換されてＲＡＭ５１に記憶されデジタルの画像信号ＧＤ１には、コンバータ５３から供給される電力の電圧値の変動に伴うノイズが重畳している。以下で説明する画像読取処理では、デジタルの画像信号ＧＤ１に重畳する当該ノイズを、デジタルデータＧＤ２を用いて除去する処理が含まれる。
【００３７】
３．画像読取処理
次に、図４を参照して、シート原稿を読み取る画像読取処理について説明する。本実施形態では、１枚のシート原稿をＡＤＦ読取する場合について説明を行う。ＣＰＵ４１は、給紙トレイ１６にシート原稿が載置され、操作部を介して読取指示が入力されると、処理を開始する。
【００３８】
図４に示すように、ＣＰＵ４１は、処理を開始すると、搬送部１８に対してシート原稿の搬送を指示し、シート原稿の搬送を開始させる（Ｓ２）。シート原稿の搬送を開始してから所定時間が経過し、シート原稿の搬送方向先端が読取位置Ｙ１に到達すると、ＣＰＵ４１は、読取部１２に対してシート原稿の読み取りを指示し、シート原稿の読み取りを開始させる。ＣＰＵ４１は、シート原稿の読み取りを開始させると、タイミング生成回路及び光源ドライバ５６に対して所定時間毎に点灯信号を読取部１２に出力するように指示し、主走査方向Ｄ１に１ライン、シート原稿を読み取らせる（Ｓ４）。
【００３９】
また、ＣＰＵ４１は、タイミング生成回路４２に対して、ＣＬＫ信号及びＳＰ信号を読取部１２に入力するように指示する。これにより、受光部２２は、これらの信号を用いて、第１変換器４３に対して１ライン分のアナログの画像信号ＧＡ１を出力する。
【００４０】
更に、ＣＰＵ４１は、タイミング生成回路４２に対して、ＳＨ信号を第１変換器４３及び第２変換器４４に入力するように指示する。これにより、図３Ａに示すように、第１変換器４３は、ＳＨ信号の立ち上がりタイミングで、１ライン分のアナログの画像信号ＧＡ１を構成する各アナログの画像信号ＧＡ１のそれぞれをデジタルの画像信号ＧＤ１に変換し、１ライン分のデジタルの画像信号ＧＤ１を生成する。ＣＰＵ４１は、ＲＡＭ５１に通信、つまりアクセスして、第１変換器４３で変換生成された１ライン分のデジタルの画像信号ＧＤ１をＲＡＭ５１に記憶させる（Ｓ６）。
【００４１】
また、第２変換器４４は、ＳＨ信号の立ち上がりタイミングで、つまり、デジタルの画像信号ＧＤ１が変換生成されるタイミングと同じタイミングでコンバータ５３から供給される電力の電圧値をデジタルデータＧＤ２に変換し、１ライン分のデジタルの画像信号ＧＤ１を構成する各デジタルの画像信号ＧＤ１に対応するデジタルデータＧＤ２の集まりである１ライン分のデジタルデータＧＤ２を生成する。ＣＰＵ４１は、ＲＡＭ５１にアクセスして、第２変換器４４で変換生成された１ライン分のデジタルデータＧＤ２をＲＡＭ５１に記憶させる（Ｓ８）。これにより、ＲＡＭ５１には、同じタイミングで変換生成されたデジタルの画像信号ＧＤ１とデジタルデータＧＤ２との組み合わせが、複数組記憶される。
【００４２】
次に、ＣＰＵ４１は、ＲＡＭ５１にアクセスして、１つのデジタルデータＧＤ２を読み出し、読み出されたデジタルデータＧＤ２と基準デジタルデータＧＫとの比率ＨＥを算出する（Ｓ１０）。ここで、基準デジタルデータＧＫとは、アナログの３．３Ｖの電圧値をデジタルデータに変換したデータを意味し、予めＲＯＭ５２に記憶されている。ＣＰＵ４１は、基準デジタルデータＧＫをデジタルデータＧＤ２で除して比率ＨＥを算出する。
ＨＥ＝ＧＫ／ＧＤ２
【００４３】
デジタルデータＧＤ２は、コンバータ５３から供給されるＤＣ３．３Ｖの電力の電圧値を変換したものであるから、通常、デジタルデータＧＤ２と基準デジタルデータＧＫとは等しく、比率ＨＥは「１」となる。しかし、上述したように、コンバータ５３から供給される電力の電圧値は、ＤＣ３．３Ｖから変動することがあり、その場合には、比率ＨＥは「１」にならない。そのため、比率ＨＥは、コンバータ５３が供給する電力の電圧値の変動を示しており、変動比率ＨＥと呼ぶことができる。
【００４４】
次に、ＣＰＵ４１は、ＲＡＭ５１にアクセスして、直前のＳ１０で読み出されたデジタルデータＧＤ２と同じタイミングで変換生成されたデジタルの画像信号ＧＤ１を読み出す。ＣＰＵ４１は、読み出されたデジタルの画像信号ＧＤ１に直前のＳ１０で算出された変動比率ＨＥを積してデジタルの画像信号ＧＤ１を補正し、補正後のデジタルの画像信号（以下、補正後の画像信号）ＧＨを算出する（Ｓ１２）。ＣＰＵ４１は、ＲＡＭ５１にアクセスして、補正後の画像信号ＧＨをＲＡＭ５１に記憶させる（Ｓ１４）。
ＧＨ＝ＧＤ１×ＨＥ
【００４５】
Ｓ１２の処理では、コンバータ５３から供給される電力の電圧値の変動、つまり、変動比率ＨＥに伴って生じるデジタルの画像信号ＧＤ１の変動、つまり、デジタルの画像信号ＧＤ１に重畳したノイズを、当該変動比率ＨＥを用いて補正する。これにより、デジタルの画像信号ＧＤ１から変動比率ＨＥによる影響を除去することができ、図３Ａに示すように、補正後の画像信号ＧＨは、コンバータ５３から供給される電力の電圧値の変動によらず、略一定値となり、例えば、すべてが１．１Ｖとなる。これにより、ＣＰＵ４１がＲＡＭ５１にアクセスすることで生じていたデジタルの画像信号ＧＤ１の値の変動、つまり、デジタルの画像信号ＧＤ１に重畳したノイズが除去される。
【００４６】
ＣＰＵ４１は、直前のＳ６でＲＡＭ５１に記憶された１ライン分のデジタルの画像信号ＧＤ１を構成する各デジタルの画像信号ＧＤ１に対して、補正後の画像信号ＧＨが算出されたかを判断する（Ｓ１６）。ＣＰＵ４１は、補正後の画像信号ＧＨが算出されていないデジタルの画像信号ＧＤ１が残っている場合（Ｓ１６：ＮＯ）、Ｓ１０からの処理を繰り返す。一方、全てのデジタルの画像信号ＧＤ１に対して補正後の画像信号ＧＨが算出された場合（Ｓ１６：ＹＥＳ）、直前のＳ６でＲＡＭ５１に記憶された１ライン分のデジタルの画像信号ＧＤ１に対する補正処理を終了する。
【００４７】
ＣＰＵ４１は、シート原稿が読取位置Ｙ１を通過する期間に亘って点灯信号の出力を繰り返えさせ、読取部１２に１ラインの読み取りを繰り返させる。ＣＰＵ４１は、Ｓ６からＳ１６までの処理が、複数ライン分のアナログの画像信号ＧＡ１のそれぞれに対して実行されたかを判断する（Ｓ１８）。ＣＰＵ４１は、Ｓ６からＳ１６までの処理が実行されていない１ライン分のアナログの画像信号ＧＡ１が残っている場合（Ｓ１８：ＮＯ）、Ｓ６からの処理を繰り返す。一方、全ての各１ライン分のアナログの画像信号ＧＡ１に対してＳ６からＳ１６までの処理が実行された場合（Ｓ１８：ＹＥＳ）、画像読取処理を終了する。
【００４８】
４．本実施形態の効果
（１）本実施形態の画像読取装置１０では、読取部１２の受光部２２が出力するアナログの画像信号ＧＡ１から変換生成されたデジタルの画像信号ＧＤ１を補正する際に、当該デジタルの画像信号ＧＤ１が変換生成されるタイミングにコンバータ５３から供給される電力の電圧値の変動比率ＨＥを用いて、デジタルの画像信号ＧＤ１を補正する。コンバータ５３は、読取部１２に電力を供給しており、デジタルの画像信号ＧＤ１に生じる電圧値の変動、すなわち、ノイズ成分は、コンバータ５３から供給される電力の電圧値の変動、すなわち、変動比率ＨＥに応じて生じる。この画像読取装置１０では、デジタルの画像信号ＧＤ１に生じるノイズ成分を、そのノイズ成分の原因となる変動比率ＨＥにより補正する。そのため、従来技術のように、特定の周波数帯域に制限されることなく、デジタルの画像信号ＧＤ１からノイズ成分を除去することができる。
【００４９】
（２）本実施形態の画像読取装置１０では、ＡＳＩＣ４０に２つの変換器を有し、読取部１２の受光部２２が出力するアナログの画像信号ＧＡ１をデジタルの画像信号ＧＤ１に変換する第１変換器４３とは別に、コンバータ５３から供給される電力の電圧値をデジタルデータＧＤ２に変換する第２変換器４４を有する。そのため、デジタルの画像信号ＧＤ１とデジタルデータＧＤ２とを同じタイミングで変換生成することができ、デジタルデータＧＤ２から算出される変動比率ＨＥを用いて、同じタイミングで変換生成されたデジタルの画像信号ＧＤ１からノイズ成分を精度よく除去することができる。
【００５０】
（３）コンバータ５３から供給される電力は、読取部１２の他、ＡＳＩＣ４０、ＲＡＭ５１、ＲＯＭ５２に供給されている。そのため、ＡＳＩＣ４０、ＲＡＭ５１、ＲＯＭ５２の少なくとも１つにおいて消費される電力が増大し、コンバータ５３が供給する電力がコンバータ５３の定格変換容量に逼迫すると、コンバータ５３から供給される電力の電圧値が変動する。例えば、ＡＳＩＣ４０はＲＡＭ５１にアクセスし、ＲＡＭ５１に信号及びデータを記憶したり、ＲＡＭ５１から信号及びデータを読み出す処理を実行するが、この際、ＡＳＩＣ４０において消費される電力が増大し、コンバータ５３から供給される電力の電圧値が変動する。
【００５１】
本実施形態の画像読取装置１０では、ＡＳＩＣ４０がＲＡＭ５１にアクセスすることで、コンバータ５３から供給される電力の電圧値が変動し、これによりデジタルの画像信号ＧＤ１にノイズ成分が生じた場合でも、デジタルの画像信号ＧＤ１が変換されたタイミングにおける変動比率ＨＥを用いてデジタルの画像信号ＧＤ１を補正するので、デジタルの画像信号ＧＤ１からノイズ成分を除去することができる。
【００５２】
（４）本実施形態の画像読取装置１０では、複数の受光素子３２を有する受光部２２を用いて、１ライン分のデジタルの画像信号ＧＤ１を生成する。この際に、１ライン分のデジタルの画像信号ＧＤ１を構成する各デジタルの画像信号ＧＤ１毎に、対応する変動比率ＨＥを算出して補正するので、各デジタルの画像信号ＧＤ１からノイズ成分を除去することができる。
【００５３】
＜他の実施形態＞
本発明は上記記述及び図面によって説明した実施形態に限定されるものではなく、例えば次のような種々の態様も本発明の技術的範囲に含まれる。
（１）上記実施形態では、画像読取装置１０を用いて説明を行ったが、本発明はこれに限られず、少なくともスキャナ機能を備えていれば、プリンタ機能やコピー機能、ファクシミリ機能等の他の機能を備えた複合機に適用されても良い。
【００５４】
（２）上記実施形態では、画像読取装置１０が１つのＣＰＵ４１を有し、読取部１２などの各部の制御を当該１つのＣＰＵ４１によって実行する例を用いて示したが、本発明はこれに限られない。例えば、複数のＣＰＵにより各部が制御されてもよければ、タイミング生成回路などのハード回路のみにより各部が制御されてもよい。さらには、単数又は複数のＣＰＵ及びハード回路によって、各部が制御されてもよい。
【００５５】
（３）また、ＣＰＵ４１が実行するプログラムは必ずしもＲＯＭ５２に記憶されている必要はなく、ＣＰＵ４１自身に記憶されていてもよければ、他の記憶装置に記憶されていても良い。
【００５６】
（４）上記実施形態では、シート原稿をＡＤＦ読取する例を用いて説明を行ったが、シート原稿をＦＢ読取する場合にも適用することができる。また。上記実施形態では、１枚のシート原稿を読み取る例を用いて説明を行ったが、複数のシート原稿を連続して読み取る場合にも適用することができる。
【００５７】
（５）上記実施形態では、コンバータ５３から出力される電力の電圧値の基準値、及び、基準デジタルデータＧＫに対応する電圧値が３．３Ｖである例を用いて説明を行ったが、この値は任意の値に適宜変更することができる。
【００５８】
（６）上記実施形態では、異なる２つの変換器４３、４４を用いてデジタルの画像信号ＧＤ１とデジタルデータＧＤ２とを同じタイミングで変換生成する例を用いて説明を行ったが、変換器４３、４４を含む１つの変換器によりデジタルの画像信号ＧＤ１とデジタルデータＧＤ２とを同じタイミングで変換生成できる場合には、当該１つの変換器のみを有していてもよい。
【００５９】
（７）上記実施形態では、コンバータ５３から出力される電力の電圧値の変動の理由として、ＣＰＵ４１のＲＡＭ５１へのアクセスを一例として示して説明を行ったが、本発明はこれに限られない。画像読取装置１０の環境条件の変化、搬送部１８や移動部２８の作動状態によっても、コンバータ５３から出力される電力の電圧値が変動することがある。
【００６０】
（８）上記実施形態では、コンバータ５３から読取部１２に電力が供給される例を用いて説明を行ったが、本発明はこれに限られない。例えば、接続端子を介して直流電源に接続される場合、コンバータ５３は必ずしも必要がない。この場合、接続端子が電圧供給部に相当する。
【００６１】
（９）上記実施形態では、ＳＨ信号として、ＣＬＫ周期と同一の周期を有し、ＣＬＫ信号の立ち上がりタイミングと異なるタイミングで瞬間的に立ち上がる信号を用いて説明を行ったが、本発明はこれに限られない。ＣＬＫ周期の２倍の周期を有し、ＣＬＫ信号の立ち上がりタイミングと異なるタイミングで立ち上がり、或は、立ち下がる信号としてもよい。この場合、ＳＨ信号の立ち上がり及び立下りが、タイミング信号の切り替わりに相当する。
【符号の説明】
【００６２】
１２：読取部、１８：搬送部、２２：受光部、２６：光源、２８：移動部、３２：受光素子、４０：ＡＳＩＣ、４１：ＣＰＵ、４２：タイミング生成回路、４３：第１変換器、４４：第２変換器、５１：ＲＡＭ、５２：ＲＯＭ、５３：コンバータ、５５：低圧電源、Ｄ１：主走査方向、ＧＡ１：アナログの画像信号、ＧＤ１：デジタルの画像信号、ＧＤ２：デジタルデータ、ＧＨ：補正後の画像信号、ＧＫ：基準デジタルデータ、ＨＥ：変動比率
【図１】
2015109603.tif 000003
【図２】
2015109603.tif 000004
【図３Ａ】
2015109603.tif 000005
【図３Ｂ】
2015109603.tif 000006
【図４】
2015109603.tif 000007